(57)【要約】【課題】開閉部の開いた状態を安定して保持することができるバッテリカバーを提供する。【解決手段】バッテリに組付けられる本体部５と、本体部５にヒンジ７を介して開閉可能に設けられた開閉部９と、開閉部９に撓み可能に設けられ係止突起１１を有する可撓リブ１３と、本体部５に設けられ開閉部９が本体部５に対して開いた状態で係止突起１１と係合する係止凹部１５を有する当接リブ１７と、当接リブ１７に設けられ開閉部９を本体部５に対して開いたときに係止突起１１と当接し可撓リブ１３を撓ませる当接部１９とを備えたバッテリカバー１において、当接部１９に、開閉部９を本体部５に対して開いたときに初めに係止突起１１と当接し係止突起１１と当接したときに入力される力の方向に対して直交方向に延びる平面部２１を設けた。【選択図】図６
2019164985.tif 000002
【特許請求の範囲】
【請求項１】
バッテリに組付けられる本体部と、
前記本体部にヒンジを介して開閉可能に設けられた開閉部と、
前記開閉部に撓み可能に設けられ係止突起を有する可撓リブと、
前記本体部に設けられ前記開閉部が前記本体部に対して開いた状態で前記係止突起と係合する係止凹部を有する当接リブと、
前記当接リブに設けられ前記開閉部を前記本体部に対して開いたときに前記係止突起と当接し前記可撓リブを撓ませる当接部と、
前記当接部に設けられ前記開閉部を前記本体部に対して開いたときに初めに前記係止突起と当接し前記係止突起と当接したときに入力される力の方向に対して直交方向に延びる平面部と、
を有することを特徴とするバッテリカバー。
【請求項２】
請求項１記載のバッテリカバーであって、
前記当接部は、前記平面部と前記係止凹部とにわたって傾斜して設けられ前記開閉部を前記本体部に対して開いたときに前記係止突起と摺動する当接テーパ部を有することを特徴とするバッテリカバー。
【請求項３】
請求項２記載のバッテリカバーであって、
前記係止突起の前記当接部側には、前記係止突起と前記平面部とが当接したときに前記当接テーパ部と当接する突起テーパ部が設けられていることを特徴とするバッテリカバー。
【請求項４】
請求項１乃至３のいずれか１項に記載のバッテリカバーであって、
前記本体部には、前記開閉部を前記本体部に対して開いたときに前記係止突起と摺動して前記係止突起を前記当接部に導き、前記平面部における前記係止突起の滑りを規制する摺動面を有する凸部が設けられていることを特徴とするバッテリカバー。
【請求項５】
請求項４記載のバッテリカバーであって、
前記凸部は、前記当接リブに設けられていることを特徴とするバッテリカバー。
【請求項６】
請求項１乃至５のいずれか１項に記載のバッテリカバーであって、
前記本体部には、前記係止突起と前記係止凹部とが係合した状態で、前記開閉部に設けられた被当接面と当接し前記本体部に対して前記開閉部の開いた状態を保持する当接面が設けられていることを特徴とするバッテリカバー。
【発明の詳細な説明】
【技術分野】
【０００１】
本発明は、バッテリカバーに関する。詳細には、バッテリに組付けられる本体部に対して開閉可能に設けられた開閉部の開いた状態を保持することができるバッテリカバーに関する。
【背景技術】
【０００２】
従来、バッテリカバーとしては、バッテリに組付けられる本体部と、本体部にヒンジを介して開閉可能に設けられた開閉部と、開閉部に撓み可能に設けられ係止突起を有する可撓リブとしてのロック片と、本体部に設けられ開閉部が本体部に対して開いた状態で係止突起と係合する係止凹部を有する当接リブとしてのロック枠と、ロック枠に設けられ開閉部を本体部に対して開いたときに係止突起と当接しロック片を撓ませる当接部としての係止縁部とを備えたものが知られている（例えば、特許文献１参照）。
【０００３】
このバッテリカバーでは、開閉部を本体部に対して開くと、ロック片の係止突起がロック枠の係止縁部と摺動しながらロック片が撓まされ、係止突起が係止縁部との摺動を終えると、ロック片が復元されて係止突起がロック枠の係止凹部に係合され、本体部に対して開閉部の開いた状態が保持される。
【先行技術文献】
【特許文献】
【０００４】
【特許文献１】特開２０１６−１５２３１号公報
【発明の概要】
【発明が解決しようとする課題】
【０００５】
ところで、上記特許文献１のようなバッテリカバーでは、開閉部を本体部に対して開いたときに、可撓リブの係止突起と初めに当接する当接リブの当接部が、曲面状に形成されている。
【０００６】
このため、係止突起が曲面状の当接部に当接すると、曲面に沿って係止突起に滑りが発生し、係止突起と係止凹部とが係合されず、開閉部の開いた状態を保持することができない恐れがあった。
【０００７】
そこで、この発明は、開閉部の開いた状態を安定して保持することができるバッテリカバーの提供を目的としている。
【課題を解決するための手段】
【０００８】
請求項１記載の発明は、バッテリに組付けられる本体部と、前記本体部にヒンジを介して開閉可能に設けられた開閉部と、前記開閉部に撓み可能に設けられ係止突起を有する可撓リブと、前記本体部に設けられ前記開閉部が前記本体部に対して開いた状態で前記係止突起と係合する係止凹部を有する当接リブと、前記当接リブに設けられ前記開閉部を前記本体部に対して開いたときに前記係止突起と当接し前記可撓リブを撓ませる当接部と、前記当接部に設けられ前記開閉部を前記本体部に対して開いたときに初めに前記係止突起と当接し前記係止突起と当接したときに入力される力の方向に対して直交方向に延びる平面部とを有することを特徴とするバッテリカバーである。
【０００９】
このバッテリカバーでは、当接部に、開閉部を本体部に対して開いたときに初めに係止突起と当接し係止突起と当接したときに入力される力の方向に対して直交方向に延びる平面部が設けられているので、係止突起から平面部にかかる力を垂直方向に受けることができ、平面部における係止突起の滑りを防止することができる。
【００１０】
このため、係止突起と当接部との当接によって、可撓リブを安定して撓ませることができ、係止突起と係止凹部とを確実に係合させることができる。
【００１１】
従って、このようなバッテリカバーでは、係止突起と係止凹部とを確実に係合させることができるので、開閉部の開いた状態を安定して保持することができる。
【００１２】
請求項２記載の発明は、請求項１記載のバッテリカバーであって、前記当接部は、前記平面部と前記係止凹部とにわたって傾斜して設けられ前記開閉部を前記本体部に対して開いたときに前記係止突起と摺動する当接テーパ部を有することを特徴とする。
【００１３】
このバッテリカバーでは、当接部が、平面部と係止凹部とにわたって傾斜して設けられ開閉部を本体部に対して開いたときに係止突起と摺動する当接テーパ部を有するので、開閉部の開く動作に応じて、安定して可撓リブを撓ませることができ、係止突起と係止凹部とを安定して係合させることができる。
【００１４】
請求項３記載の発明は、請求項２記載のバッテリカバーであって、前記係止突起の前記当接部側には、前記係止突起と前記平面部とが当接したときに前記当接テーパ部と当接する突起テーパ部が設けられていることを特徴とする。
【００１５】
このバッテリカバーでは、係止突起の当接部側に、係止突起と平面部とが当接したときに当接テーパ部と当接する突起テーパ部が設けられているので、開閉部の開く動作に応じて、係止突起を平面部から当接テーパ部に安定して導くことができる。
【００１６】
請求項４記載の発明は、請求項１乃至３のいずれか１項に記載のバッテリカバーであって、前記本体部には、前記開閉部を前記本体部に対して開いたときに前記係止突起と摺動して前記係止突起を前記当接部に導き、前記平面部における前記係止突起の滑りを規制する摺動面を有する凸部が設けられていることを特徴とする。
【００１７】
このバッテリカバーでは、本体部に、開閉部を本体部に対して開いたときに係止突起と摺動して係止突起を当接部に導き、平面部における係止突起の滑りを規制する摺動面を有する凸部が設けられているので、係止突起を安定して当接部に導き、係止突起の平面部における滑りを規制することができ、係止突起と係止凹部とをさらに確実に係合させることができる。
【００１８】
請求項５記載の発明は、請求項４記載のバッテリカバーであって、前記凸部は、前記当接リブに設けられていることを特徴とする。
【００１９】
このバッテリカバーでは、凸部が、当接リブに設けられているので、本体部に対して凸部と当接リブとを集約して配置することができ、構造の複雑化を抑制することができる。
【００２０】
請求項６記載の発明は、請求項１乃至５のいずれか１項に記載のバッテリカバーであって、前記本体部には、前記係止突起と前記係止凹部とが係合した状態で、前記開閉部に設けられた被当接面と当接し前記本体部に対して前記開閉部の開いた状態を保持する当接面が設けられていることを特徴とする。
【００２１】
このバッテリカバーでは、本体部に、係止突起と係止凹部とが係合した状態で、開閉部に設けられた被当接面と当接し本体部に対して開閉部の開いた状態を保持する当接面が設けられているので、開閉部の開いた状態を安定して保持することができる。
【発明の効果】
【００２２】
本発明によれば、開閉部の開いた状態を安定して保持することができるバッテリカバーを提供することができるという効果を奏する。
【図面の簡単な説明】
【００２３】
【図１】本発明の第１実施形態に係るバッテリカバーをバッテリに組付けるときの斜視図である。
【図２】本発明の第１実施形態に係るバッテリカバーをバッテリに組付けたときの斜視図である。
【図３】本発明の第１実施形態に係るバッテリカバーの開閉部を開いたときの斜視図である。
【図４】本発明の第１実施形態に係るバッテリカバーの開閉部を開いたときの斜視図である。
【図５】本発明の第１実施形態に係るバッテリカバーの開閉部を開いたときの側面図である。
【図６】本発明の第１実施形態に係るバッテリカバーの開閉部を閉じたときの要部拡大斜視図である。
【図７】本発明の第１実施形態に係るバッテリカバーの開閉部を開いたときの要部拡大側面図である。
【図８】本発明の第１実施形態に係るバッテリカバーの開閉部を異なる角度で開いたときの要部拡大側面図である。
【図９】本発明の第１実施形態に係るバッテリカバーの開閉部を異なる角度で開いたときの要部拡大側面図である。
【図１０】本発明の第２実施形態に係るバッテリカバーの開閉部を開いたときの斜視図である。
【図１１】本発明の第２実施形態に係るバッテリカバーの開閉部を閉じたときの要部拡大斜視図である。
【図１２】本発明の第２実施形態に係るバッテリカバーの開閉部を開いている途中のの要部拡大側面図である。
【図１３】本発明の第２実施形態に係るバッテリカバーの開閉部を開いたときの要部拡大側面図である。
【発明を実施するための形態】
【００２４】
図１〜図１３を用いて本発明の実施の形態に係るバッテリカバーについて説明する。
【００２５】
（第１実施形態）
図１〜図９を用いて第１実施形態について説明する。
【００２６】
本実施の形態に係るバッテリカバー１は、バッテリ３に組付けられる本体部５と、本体部５にヒンジ７を介して開閉可能に設けられた開閉部９と、開閉部９に撓み可能に設けられ係止突起１１を有する可撓リブ１３と、本体部５に設けられ開閉部９が本体部５に対して開いた状態で係止突起１１と係合する係止凹部１５を有する当接リブ１７と、当接リブ１７に設けられ開閉部９を本体部５に対して開いたときに係止突起１１と当接し可撓リブ１３を撓ませる当接部１９とを備えている。
【００２７】
そして、当接部１９には、開閉部９を本体部５に対して開いたときに初めに係止突起１１と当接し係止突起１１と当接したときに入力される力の方向に対して直交方向に延びる平面部２１が設けられている。
【００２８】
なお、開閉部９を本体部５に対して開いたときに「初めに」係止突起１１と当接し、との表現における「初めに」とは、「係止突起１１」が「当接部１９」に対して「初めに」当接することを意味しており、すなわち「平面部２１」は、「当接部１９」において、「係止突起１１」と「初めに」当接する部分に設けられている。
【００２９】
また、当接部１９は、平面部２１と係止凹部１５とにわたって傾斜して設けられ開閉部９を本体部５に対して開いたときに係止突起１１と摺動する当接テーパ部２３を有する。
【００３０】
さらに、係止突起１１の当接部１９側には、係止突起１１と平面部２１とが当接したときに当接テーパ部２３と当接する突起テーパ部２５が設けられている。
【００３１】
図１〜図７に示すように、バッテリ３は、直方体状に形成され、上面の隅部に上面から一段低くなるように切り欠かれて形成された凹所２７が設けられている。
【００３２】
この凹所２７内には、バッテリポスト２９が突設され、このバッテリポスト２９には、ヒューズユニット３１が接続される。
【００３３】
ヒューズユニット３１は、過電流によって溶断するヒューズが設けられた導電性材料からなるヒューズエレメント（不図示）が合成樹脂によってモールド成形されている。
【００３４】
このヒューズユニット３１には、車両に搭載された各種機器などに接続された電線３３が接続され、バッテリ３からの電力を各種機器などに供給する。
【００３５】
このとき、ヒューズエレメントに過電流が入力されると、ヒューズが溶断し、バッテリ３と各種機器などとの間の電力供給を遮断する。
【００３６】
このようなヒューズユニット３１の外周には、バッテリカバー１が覆うように配置され、バッテリカバー１によってヒューズユニット３１やバッテリポスト２９などが保護されている。
【００３７】
バッテリカバー１は、合成樹脂などの絶縁性材料からなり、本体部５と、開閉部９とを備えている。
【００３８】
本体部５は、ヒューズユニット３１の周囲を覆い、バッテリ３の側面に配置されるようにＬ字状に形成され、バッテリ３の凹所２７に配置され、係合手段（不図示）を介してヒューズユニット３１に固定される。
【００３９】
開閉部９は、本体部５にヒンジ７を介してバッテリ３の上方に向けて回動するように開閉可能に設けられている。
【００４０】
この開閉部９は、ヒューズユニット３１の上面側を覆い、本体部５に対して開くことにより、バッテリカバー１をヒューズユニット３１に組付けた状態で、ヒューズの確認やバッテリポスト２９からのヒューズユニット３１の取り外しなどを行うことができる。
【００４１】
このような開閉部９の本体部５に対して開いた状態は、可撓リブ１３に設けられた係止突起１１と、当接リブ１７に設けられた係止凹部１５との係合によって保持される。
【００４２】
可撓リブ１３は、開閉部９のヒンジ７側で、ヒンジ７の回動軸線方向の両側にそれぞれ開閉部９と連続する一部材で撓み可能に設けられている。
【００４３】
この可撓リブ１３には、ヒンジ７の回動軸線方向の外側に向けて係止突起１１が突設されている。
【００４４】
当接リブ１７は、本体部５のヒンジ７側で、ヒンジ７の回動軸線方向の両側で可撓リブ１３よりヒンジ７の回動軸線方向の外側であって、係止突起１１と開閉部９の回動方向にオーバーラップするようにそれぞれ本体部５と連続する一部材で設けられている。
【００４５】
この当接リブ１７には、開閉部９を本体部５に対して開いた状態で、可撓リブ１３がヒンジ７の回動軸線方向に対向して配置され、係止突起１１と対応する位置に、係止突起１１と係合される係止凹部１５が設けられている。
【００４６】
この係止突起１１と係止凹部１５との係合により、ヒンジ７の復元力などによって開閉部９が本体部５に対して閉じることがなく、本体部５に対して開閉部９の開いた状態を保持することができ、ヒューズユニット３１のメンテナンス作業を良好に行うことができる。
【００４７】
このような係止凹部１５に係合される係止突起１１は、開閉部９の開く動作に応じて、当接リブ１７の当接部１９と当接し、可撓リブ１３を撓ませ、係止突起１１が係止凹部１５に位置したときに、可撓リブ１３の復元力によって係止凹部１５に係合される。
【００４８】
当接部１９は、平面部２１と、当接テーパ部２３とを有する。
【００４９】
平面部２１は、開閉部９の回動方向に係止突起１１とオーバーラップする当接リブ１７の上面に設けられ、開閉部９を本体部５に対して開いたときに初めに係止突起１１と当接する。
【００５０】
この平面部２１は、係止突起１１と当接したときに入力される力の方向に対して直交方向に延びる直線状に形成されている。
【００５１】
詳細には、平面部２１は、開閉部９の開閉動作によって描かれる係止突起１１の回動軌跡の中心（不図示）と、平面部２１と係止突起１１との接点Ｐとを通る直線状に形成されている。
【００５２】
このように平面部２１を形成することにより、係止突起１１が平面部２１と当接したときに、係止突起１１から平面部２１に対して垂直方向に力が入力され、係止突起１１から入力される平面部２１での力の分散による係止突起１１の滑りを防止することができる。
【００５３】
このため、係止突起１１と平面部２１との当接によって安定して可撓リブ１３を撓ませることができ、係止突起１１と係止凹部１５とを確実に係合させることができる。
【００５４】
当接テーパ部２３は、当接リブ１７の側面の上面側に、平面部２１から係止凹部１５に向けて下り傾斜となるように、平面部２１と係止凹部１５とにわたって傾斜して設けられている。
【００５５】
この当接テーパ部２３は、開閉部９を本体部５に対して開いたときに係止突起１１と摺動し、可撓リブ１３を当接テーパ部２３に沿って撓ませる。
【００５６】
このように当接テーパ部２３を設けることにより、可撓リブ１３を安定して撓ませることができ、係止突起１１と係止凹部１５とをさらに確実に係合させることができる。
【００５７】
ここで、係止突起１１の当接部１９側には、当接テーパ部２３と同一傾斜で傾斜された突起テーパ部２５が設けられている。
【００５８】
この突起テーパ部２５は、係止突起１１と平面部２１とが当接したときに、当接テーパ部２３と当接される。
【００５９】
このように当接テーパ部２３と当接する突起テーパ部２５を設けることにより、係止突起１１と平面部２１とが当接したときに、当接テーパ部２３と突起テーパ部２５との当接によって当接面積が増大し、平面部２１における係止突起１１の滑りをさらに防止することができる。
【００６０】
加えて、開閉部９の開く動作に応じて、係止突起１１を当接テーパ部２３に安定して導くことができ、可撓リブ１３の撓みを安定して行うことができる。
【００６１】
なお、平面部２１の形状としては、例えば、図８に示すように、本体部５に対する開閉部９の開いた角度が９０°である場合には、水平方向に延びる直線状に形成された平面部２１ａとしてもよい。
【００６２】
また、図９に示すように、本体部５に対する開閉部９の開いた角度が９０°よりも大きい角度（ここでは１１０°）である場合には、図７に示す平面部２１とは逆向きに傾斜する直線状に形成された平面部２１ｂとしてもよい。
【００６３】
このように平面部２１は、本体部５に対する開閉部９の開いた角度に応じて、係止突起１１と当接したときに入力される力を垂直方向に受けられる直線状に形成されるように適宜選択して設ければよい。
【００６４】
このようなバッテリカバー１では、当接部１９に、開閉部９を本体部５に対して開いたときに初めに係止突起１１と当接し係止突起１１と当接したときに入力される力の方向に対して直交方向に延びる平面部２１が設けられているので、係止突起１１から平面部２１にかかる力を垂直方向に受けることができ、平面部２１における係止突起１１の滑りを防止することができる。
【００６５】
このため、係止突起１１と当接部１９との当接によって、可撓リブ１３を安定して撓ませることができ、係止突起１１と係止凹部１５とを確実に係合させることができる。
【００６６】
従って、このようなバッテリカバー１では、係止突起１１と係止凹部１５とを確実に係合させることができるので、開閉部９の開いた状態を安定して保持することができる。
【００６７】
また、当接部１９は、平面部２１と係止凹部１５とにわたって傾斜して設けられ開閉部９を本体部５に対して開いたときに係止突起１１と摺動する当接テーパ部２３を有するので、開閉部９の開く動作に応じて、安定して可撓リブ１３を撓ませることができ、係止突起１１と係止凹部１５とを安定して係合させることができる。
【００６８】
さらに、係止突起１１の当接部１９側には、係止突起１１と平面部２１とが当接したときに当接テーパ部２３と当接する突起テーパ部２５が設けられているので、開閉部９の開く動作に応じて、係止突起１１を平面部２１から当接テーパ部２３に安定して導くことができる。
【００６９】
（第２実施形態）
図１０〜図１３を用いて第２実施形態について説明する。
【００７０】
本実施の形態に係るバッテリカバー１０１は、本体部５に、開閉部９を本体部５に対して開いたときに係止突起１１と摺動して係止突起１１を当接部１９に導き、平面部２１における係止突起１１の滑りを規制する摺動面１０３を有する凸部１０５が設けられている。
【００７１】
また、凸部１０５は、当接リブ１７に設けられている。
【００７２】
さらに、本体部５には、係止突起１１と係止凹部１５とが係合した状態で、開閉部９に設けられた被当接面１０７と当接し本体部５に対して開閉部９の開いた状態を保持する当接面１０９が設けられている。
【００７３】
なお、第１実施形態と同様の構成には、同一の記号を記して構成及び機能説明は第１実施形態を参照するものとし省略するが、第１実施形態と同一の構成であるので、得られる効果は同一である。
【００７４】
図１０〜図１３に示すように、本体部５の当接リブ１７には、当接部１９の平面部２１から上方に向けて当接リブ１７と連続する一部材で凸部１０５が設けられている。
【００７５】
この凸部１０５の平面部２１側の側面には、摺動面１０３が設けられ、凸部１０５の頂部には、当接面１０９が設けられている。
【００７６】
摺動面１０３は、凸部１０５の平面部２１側の側面に設けられ、平面部２１から上方に向けて平面部２１と連続して形成されている。
【００７７】
この摺動面１０３は、開閉部９の開閉動作によって描かれる係止突起１１の回動軌跡上に位置しており、開閉部９を本体部５に対して開いたときに、係止突起１１と摺動し、係止突起１１を平面部２１に向けて導く。
【００７８】
この摺動面１０３によって平面部２１に導かれた係止突起１１は、平面部２１と当接したとき、係止突起１１の回動軌跡の外側に、摺動面１０３が位置している。
【００７９】
このため、係止突起１１が、平面部２１上において、係止突起１１の回動軌跡の外側に向けて滑りが生じても、摺動面１０３によって係止突起１１の移動が規制され、係止突起１１と平面部２１との当接位置がズレることがなく、係止突起１１と平面部２１とを安定して当接させることができる。
【００８０】
このような摺動面１０３によって、平面部２１が設けられた当接部１９に導かれると共に、平面部２１における滑りが規制された係止突起１１は、開閉部９の開く動作に応じて、平面部２１との当接を終えた後、当接部１９の当接テーパ部２３と係止突起１１の突起テーパ部２５とが係合する。
【００８１】
なお、本実施の形態においては、係止突起１１の突起テーパ部２５は、係止突起１１の先端側から基端側に向けて広がるように傾斜され、係止突起１１の周方向に連続する環状に形成されている。
【００８２】
この当接部１９の当接テーパ部２３と係止突起１１の突起テーパ部２５との係合により、開閉部９の開く動作に応じて、可撓リブ１３が撓まされ、係止突起１１が係止凹部１５に位置したときに、係止突起１１と係止凹部１５とが係合され、本体部５に対する開閉部９の開いた状態が保持される。
【００８３】
このような本体部５に対して開閉部９が開いた状態では、開閉部９の被当接面１０７と、凸部１０５の当接面１０９とが当接される。
【００８４】
被当接面１０７は、開閉部９の可撓リブ１３の基端側に平面状に形成され、本体部５に対して開閉部９を完全に開いた状態、すなわち係止突起１１と係止凹部１５とが係合した状態で、凸部１０５の当接面１０９が当接される。
【００８５】
当接面１０９は、凸部１０５の頂部に設けられ、本体部５に対して開閉部９を完全に開いた状態で、開閉部９の被当接面１０７に当接され、本体部５に対して開閉部９がそれ以上開くことを規制する。
【００８６】
このように本体部５に対して開閉部９を完全に開いた状態で、当接面１０９を開閉部９の被当接面１０７に当接させることにより、本体部５に対して開閉部９の開いた状態を安定して保持することができる。
【００８７】
このような摺動面１０３と当接面１０９とを有する凸部１０５を当接リブ１７に設けることにより、本体部５において、当接部１９の機能と凸部１０５の機能とを１箇所に集約させることができ、バッテリカバー１０１の構造の複雑化を抑制することができる。
【００８８】
このようなバッテリカバー１０１では、本体部５に、開閉部９を本体部５に対して開いたときに係止突起１１と摺動して係止突起１１を当接部１９に導き、平面部２１における係止突起１１の滑りを規制する摺動面１０３を有する凸部１０５が設けられているので、係止突起１１を安定して当接部１９に導き、係止突起１１の平面部２１における滑りを規制することができ、係止突起１１と係止凹部１５とをさらに確実に係合させることができる。
【００８９】
また、凸部１０５は、当接リブ１７に設けられているので、本体部５に対して凸部１０５と当接リブ１７とを集約して配置することができ、構造の複雑化を抑制することができる。
【００９０】
さらに、本体部５には、係止突起１１と係止凹部１５とが係合した状態で、開閉部９に設けられた被当接面１０７と当接し本体部５に対して開閉部９の開いた状態を保持する当接面１０９が設けられているので、開閉部９の開いた状態を安定して保持することができる。
【００９１】
なお、本発明の実施の形態に係るバッテリカバーでは、可撓リブと当接リブとが２箇所設けられているが、これに限らず、可撓リブと当接リブとを３箇所以上設けてもよい。
【００９２】
また、凸部は、当接リブに設けられているが、これに限らず、係止突起を当接部に導き、平面部における係止突起の滑りを規制できる位置であれば、凸部を本体部のどの部分に設けてもよい。
【００９３】
さらに、当接面は、凸部に設けられているが、これに限らず、係止突起と係止凹部とが係合した状態で、開閉部の被当接面に当接して本体部に対して開閉部の開いた状態をできる位置であれば、当接面や被当接面は本体部や開閉部のどの部分に設けてもよい。
【符号の説明】
【００９４】
１，１０１…バッテリカバー
３…バッテリ
５…本体部
７…ヒンジ
９…開閉部
１１…係止突起
１３…可撓リブ
１５…係止凹部
１７…当接リブ
１９…当接部
２１…平面部
２３…当接テーパ部
２５…突起テーパ部
１０３…摺動面
１０５…凸部
１０７…被当接面
１０９…当接面
【図１】
2019164985.tif 000003
【図２】
2019164985.tif 000004
【図３】
2019164985.tif 000005
【図４】
2019164985.tif 000006
【図５】
2019164985.tif 000007
【図６】
2019164985.tif 000008
【図７】
2019164985.tif 000009
【図８】
2019164985.tif 000010
【図９】
2019164985.tif 000011
【図１０】
2019164985.tif 000012
【図１１】
2019164985.tif 000013
【図１２】
2019164985.tif 000014
【図１３】
2019164985.tif 000015